(57)【要約】【課題】表示領域の一部を消去することにより当選結果が表示される電子クーポンを提供する。【解決手段】携帯端末における表示部１５０において、電子クーポン配信装置より配信される２層構造になった電子クーポンＣｐ００１は１層目Ｌｙ１と２層目Ｌｙ２によって構成される。利用者が電子クーポンを利用するにあたり、１層目Ｌｙ１を消去したならば２層目Ｌｙ２の当該部分の表示を開始する。利用者は携帯端末の位置特定機能により指定された地域でのみ電子クーポンＣｐ００１の利用を開始できる。あらかじめ指定された１層目Ｌｙ１の全面積に対する消去率に達したならば抽選を開始し、その結果を２層目Ｌｙ２に対して表示することを特徴とする。【選択図】図１２
2014238800.tif 000002
【特許請求の範囲】
【請求項１】
位置情報を取得する測位部と利用者による電子クーポンの操作を受付し処理する操作部とを少なくとも備える携帯端末と、前記携帯端末に対して２層構造の電子クーポンを配信する電子クーポン配信装置とから少なくとも構成される電子クーポン配信システムであって，前記電子クーポン配信装置は前記電子クーポン毎に前記電子クーポンの利用可能地域を格納し、前記電子クーポン配信装置は前記携帯端末に対して、前記操作部を通じて利用者が前記電子クーポンの１層目の表示を所定の割合だけ消去すると利用者毎に変化する特典内容を含む２層目が表示される前記電子クーポンを前記携帯端末へ配信し、前記携帯端末から取得した現在位置が前記電子クーポンの利用可能地域に適合し、かつ前記電子クーポンの１層目の表示が利用者により所定の割合だけ消去されたことを検知したならば、前記電子クーポン配信装置は前記特典内容を含む２層目の情報を前記携帯端末に配信することを特徴とする電子クーポン配信システム。
【請求項２】
前記電子クーポンのうち２層目の情報は抽選の結果を含む当選情報であり、前記電子クーポン配信装置は前記電子クーポンの２層目を配信するタイミングにおいて、少なくとも前記電子クーポンの配信状況を基に抽選を実施し、前記抽選の結果を前記電子クーポンの２層目の情報に含ませて前記携帯端末へ配信することにより利用者が当選結果を得ることを特徴とする、請求項１に記載の電子クーポン配信装置。
【請求項３】
前記電子クーポンのうち最初に配信される１層目には配信された前記電子クーポンに関する情報で、少なくとも電子クーポン名称と電子クーポン受信日時を含む情報を前記携帯端末において表示することを特徴とする、請求項１に記載の電子クーポン配信システム。
【請求項４】
前記携帯端末において受信済みの一つ以上の前記電子クーポンを一覧表示する表示部を備え、前記表示部は前記位置情報取得部から取得した現在位置と、一つ以上の受信済みの前記電子クーポンのそれぞれの利用可能地域とを比較し、地図データ上に対して前記現在位置と前記電子クーポンのそれぞれの利用可能地域を前記それぞれの電子クーポン名称と共に表示することを特徴とする、請求項１に記載の携帯端末。
【請求項５】
配信対象となっている前記電子クーポンに対しあらかじめ配信地域、配信時間、および利用者の属性を登録可能であり、前記配信時間に達したならば対象となる前記電子クーポンの１層目の配信を開始するにあたり、配信対象となる利用者の属性に一致していることと、前記携帯端末から現在位置を取得し、前記現在位置が配信地域に一致していることを確認できたならば、前記携帯端末へ配信を実施することを特徴とする、請求項１に記載の電子クーポン配信装置。
【発明の詳細な説明】
【技術分野】
【０００１】  本発明は、ネットワーク等を介して取得され携帯端末を介して使用される電子クーポンの配信および管理技術に関する。
【背景技術】
【０００２】  携帯端末におけるネットワークを介した電子クーポンの配信および使用の一態様として、例えば特許文献１にあるとおり、電子クーポン配信装置から携帯端末に対して電子クーポンを配信する際、携帯端末に搭載されたＧＰＳ（Ｇｌｏｂａｌ  Ｐｏｓｉｔｉｏｎｉｎｇ  Ｓｙｓｔｅｍ）機能により、利用者の位置情報と電子クーポンが使用可能な店舗の位置情報とを比較することにより、付近のクーポン利用可能店舗へと利用者を誘導するものが提案されている。
また、特許文献２にあるとおり、携帯端末における位置特定手法として、主に屋内においてＧＰＳに代わり無線ＬＡＮやｂｌｕｅｔｏｏｔｈ等の電波信号を利用するものが提案されており、さらに音波の信号を利用する位置測位サービスも実現されている。
【先行技術文献】
【特許文献】
【０００３】
【特許文献１】特開２００９−２１７５５３号公報
【特許文献２】特開２００９−１７１３６５号公報
【発明の概要】
【発明が解決しようとする課題】
【０００４】  しかし、従来手法では携帯端末へ配信される電子クーポンは携帯端末間で同一であった。一般的に店舗において使用される電子クーポンは、店舗において販売される商品の値引きの用途として採用されており、例えば「商品Ａを１割引き」といった内容のものであった。この方式だと、全利用者に対して一律、商品割引情報を含む電子クーポンを配信することとなり、多くの利用者が前記商品割引情報を含む電子クーポンを使用すると店舗の収益性が低下するという課題があった。【０００５】  そこで、本発明は、配信対象となる携帯端末間で前記電子クーポンの配信内容を変え、一定の割合もしくは一定数のみに対してより高い付加価値の前記電子クーポンを当選させる抽選機能を有する。また、前記電子クーポンを配信する対象のエリアと、携帯端末で受信した前記電子クーポンを利用する対象のエリアをそれぞれ独立して設定可能とする構成を有することを特徴とする。さらに、前記携帯端末において表示される前記電子クーポンは仮想的に２層の構造とし、利用者の操作により表示を一定の割合で消去可能な１層目と、１層目を消去することにより表示される、前記抽選機能による抽選結果を表示するための２層目とを有することを特徴とする。
【課題を解決するための手段】
【０００６】  上記の課題を解決すべく、本発明は以下の構成を提供する。
請求項１に係る発明は、電子クーポン配信システムにおいて、位置情報を取得する測位部と利用者による電子クーポンの操作を受付し処理する操作部とを少なくとも備える携帯端末と、前記携帯端末に対して２層構造の電子クーポンを配信する電子クーポン配信装置とから少なくとも構成される電子クーポン配信システムであって，前記電子クーポン配信装置は前記電子クーポン毎に前記電子クーポンの利用可能地域を格納し、前記電子クーポン配信装置は前記携帯端末に対して、前記操作部を通じて利用者が前記電子クーポンの１層目の表示を所定の割合だけ消去すると利用者毎に変化する特典内容を含む２層目が表示される前記電子クーポンを前記携帯端末へ配信し、前記携帯端末から取得した現在位置が前記電子クーポンの利用可能地域に適合し、かつ前記電子クーポンの１層目の表示が利用者により所定の割合だけ消去されたことを検知したならば、前記電子クーポン配信装置は前記特典内容を含む２層目の情報を前記携帯端末に配信することを特徴とする。【０００７】  請求項２に係る発明は、電子クーポン配信装置において前記電子クーポンのうち２層目の情報は抽選の結果を含む当選情報であり、前記電子クーポン配信装置は前記電子クーポンの２層目を配信するタイミングにおいて、少なくとも前記電子クーポンの配信状況を基に抽選を実施し、前記抽選の結果を前記電子クーポンの２層目の情報に含ませて前記携帯端末へ配信することにより利用者が当選結果を得ることを特徴とする。【０００８】  請求項３に係る発明は、電子クーポン配信システムにおいて前記電子クーポンのうち最初に配信される１層目には配信された前記電子クーポンに関する情報で、少なくとも電子クーポン名称と電子クーポン受信日時を含む情報を前記携帯端末において表示することを特徴とする。【０００９】  請求項４に係る発明は、前記携帯端末において受信済みの一つ以上の前記電子クーポンを一覧表示する表示部を備え、前記表示部は前記位置情報取得部から取得した現在位置と、一つ以上の受信済みの前記電子クーポンのそれぞれの利用可能地域とを比較し、地図データ上に対して前記現在位置と前記電子クーポンのそれぞれの利用可能地域を前記それぞれの電子クーポン名称と共に表示することを特徴とする。【００１０】  請求項５に係る発明は、電子クーポン配信装置において配信対象となっている前記電子クーポンに対しあらかじめ配信地域、配信時間、および利用者の属性を登録可能であり、前記配信時間に達したならば対象となる前記電子クーポンの１層目の配信を開始するにあたり、配信対象となる利用者の属性に一致していることと、前記携帯端末から現在位置を取得し、前記現在位置が配信地域に一致していることを確認できたならば、前記携帯端末へ配信を実施することを特徴とする。
【発明の効果】
【００１１】  本発明によれば、電子クーポンの配信対象エリアと利用対象エリアを区別して設定し、かつ抽選機能により異なる抽選結果の電子クーポンを異なる利用者へ配信することが可能である。
【図面の簡単な説明】
【００１２】
【図１】  電子クーポン配信システムの構成の概略を示す図
【図２】  携帯端末のハードウェア構成を示すブロック図
【図３】  電子クーポン配信装置のハードウェア構成を示すブロック図
【図４】  電子クーポンＤＢのデータ構成例を示す図
【図５】  配信・使用条件ＤＢのデータ構成例を示す図
【図６】  クーポンＩＤ  Ｃ０００１における配信エリアと使用可能エリアの設定例を示す図
【図７】  利用者ＤＢのデータ構成例を示す図
【図８】  受信情報のリスト表示例を示す図
【図９】  電子クーポンの利用可能場所の表示例を示す図
【図１０】  電子クーポンの２層構造を示す図
【図１１】  電子クーポン１層目を示す図
【図１２】  電子クーポンの当選結果の表示例を示す図
【図１３】  電子クーポン２層目における当選結果の表示例を示す図
【図１４】  電子クーポンの配信例を示す図
【図１５】  電子クーポンの使用および抽選例を示す図
【発明を実施するための形態】
【００１３】［実施形態］
図１は、本発明の一実施形態である電子クーポン配信システムの構成の概略を示す図である。電子クーポン配信システムは、パーソナルコンピュータＰＣ３００と電子クーポンの配信および管理を行う電子クーポン配信装置２００が無線通信網ＮＷ１を介して接続され、インターネット網ＮＷ２と無線通信網ＮＷ１が接続されることにより携帯端末１００が接続された形態となっている。
【００１４】  図１において、電子クーポン配信装置２００はインターネット回線に代表されるインターネット網ＮＷ２を介してＰＣ３００と接続している。ＰＣ３００は電子クーポンの配信を実施する企業または組織が保有しているもので、利用者へ配信するための電子クーポンの管理、たとえば後述する電子クーポンの配信時間や配信エリアなどの管理に関する情報を電子クーポン配信装置２００へ入力するために使用する。ＰＣ３００はインターネット接続が可能なデスクトップ型、ノート型またはタブレット型のパーソナルコンピュータであり、オペレーションシステム上で電子クーポン配信装置２００に情報を入力することが可能なアプリケーションを動作することが可能なものである。
【００１５】  図１において、電子クーポン配信装置２００に接続されたＰＣとしてはＰＣ３００の１台のみが示され、他のＰＣの図示が省略されているが、実際には複数のＰＣから電子クーポンの配信に関する情報を電子クーポン配信装置２００へ入力することも可能である。さらに、ＰＣ３００はインターネット網ＮＷ２を介さず、直接電子クーポン配信装置２００と接続されていてもよい。
【００１６】  図１における携帯端末１００は利用者が保有もしくは使用する移動体通信端末を示す。図１においては複数の携帯端末１００を図示しており、それぞれ１００１、１００２、および１００Ｎとしている。携帯端末１００は、例えば、携帯電話機（スマートフォンを含む。）やいわゆるタブレット端末であるが、携帯型のゲーム機や電子書籍リーダであってもよい。携帯端末１００は、通信網ＮＷ１を介して電子クーポン配信装置２００と通信する。
【００１７】  無線通信網ＮＷ１は、携帯端末１００が通信を行うための無線通信網、例えば、移動体通信網や公衆無線ＬＡＮ（Ｌｏｃａｌ  Ａｒｅａ  Ｎｅｔｗｏｒｋ）網を少なくとも含む。
【００１８】  本発明において、配信とは、電子クーポンを必要とする装置又は端末に対して電子クーポンを送信することをいう。また、利用者とは、携帯端末を所有または使用し、携帯端末に受信した電子クーポンと電子クーポンに関する情報を閲覧し、操作し、実店舗等において消費するものをいう。
【００１９】  図２は、ユーザ端末１００のハードウェア構成を示すブロック図である。携帯端末１００は、制御部１１０と、記憶部１２０と、通信部１３０と、測位部１４０と、表示部１５０と、操作部１６０とを少なくとも備える。なお、携帯端末１００は、これらの構成のほかに、スピーカやマイクロホン、デジタルカメラ、加速度センサなどを備えていてもよい。制御部１１０は、携帯端末１００の各部の動作を制御するもので、ＣＰＵ（Ｃｅｎｔｒａｌ  Ｐｒｏｃｅｓｓｉｎｇ  Ｕｎｉｔ）などの演算処理装置や、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）といったメモリを備え、プログラムを実行することによって各部の動作を制御する。記憶部１２０は、データを記憶する手段であり、フラッシュメモリ等によって構成され、制御部１１０が処理を実行するために必要なデータを記憶することが可能であり、具体的には、電子クーポンの受信履歴やプログラムなどを記憶することができる。
【００２０】  通信部１３０は、無線通信機能を有しており、無線通信網１１０を介して電子クーポン配信装置２００と接続するための機能を有する。表示部１５０は、画像を表示する手段であり、液晶素子や有機ＥＬ（ｅｌｅｃｔｒｏｌｕｍｉｎｅｓｃｅｎｃｅ）素子を用いた表示パネルと、表示パネルの各素子を駆動する駆動回路とを備える。操作部１６０は、ユーザの操作を受け付ける手段である。操作部１６０は、例えば、キーやボタンであってもよいし、表示部１５０の表示パネルに重ねて設けられたタッチスクリーンであってもよい。操作部１６０は、ユーザの操作に応じた操作データを制御部１１０に供給する。
【００２１】  図３は、電子クーポン配信装置２００のハードウェア構成を示すブロック図である。通信部２３０は、インターネット網ＮＷ２に接続する通信インターフェースである。通信部２３０は、インターネット網ＮＷ２を介してＰＣ３００から電子クーポンの配信に関する全てもしくは一部の情報の入力を受け付ける。通信部２３０はまた、電子クーポン配信部２１０からの要求を受けて、携帯端末１００へ電子クーポンを配信する。通信部２３０はさらに、携帯端末１００へ電子クーポンが配信された後、電子クーポンが利用者により使用されることに関する情報を携帯端末１００より受信し、抽選部２２０により抽選結果を決定して、抽選結果を携帯端末１００へと通知する。
【００２２】  電子クーポン配信部２１０における電子クーポンの配信内容と配信方法は、電子クーポン管理部２４０により管理される。電子クーポン管理部２４０は電子クーポンの配信管理をデータベースサーバである利用者ＤＢ２５０、電子クーポンＤＢ２６０、および配信・使用条件ＤＢ２７０が有する情報に基づき実施する。具体的には、電子クーポン管理部２４０は配信対象となる電子クーポンの内容の決定、配信タイミングの決定、配信対象利用者の決定、配信対象エリアの決定の全てまたは一部の配信管理を前記データベースサーバを参照し実施する。なお、配信対象エリアの決定は、携帯端末１００から取得した現在位置情報に基づき、配信・使用条件ＤＢにおいて管理された対象エリア情報を参照して実施する。
【００２３】  抽選部２２０は、特定の利用者に対してより付加価値の高い電子クーポンを提供する手段である。クーポンＩＤ毎に設定された最大当選者数、当選確率、すでに抽選を実施した数、および当選した数に基づき、当選か非当選かの判定（抽選）を実施する。抽選の結果は、後述する２層構造となった電子クーポンのうち、当選情報を携帯端末２００に表示させる２層目の表示を実施することにより利用者は抽選結果を知ることができる。たとえば抽選で当選したならば、当該の電子クーポンを使用可能な店舗や施設において、当選者に限定の特別な割引が受けられたり、粗品を受け取ったりすることができるが、これら詳細な内容は店舗にて接客を行う店舗の運用者が認知するものであり、本電子クーポンの役割範囲としては、携帯端末１００を使用する利用者が当該運用者へ当選結果を示す手段として使用される。
【００２４】  前記２層目の表示としては例えば「あたり」「はずれ」という２種類を用意し、あらかじめ定められた当選確率により表示の管理を実施する。当選確率を１０％に設定するならば、当該電子クーポンを受信し、使用する利用者のうち１０％の割合の利用者にのみ「あたり」（当選）の表示を行い、残りの利用者に大しては「はずれ」（非当選）の表示を行うような制御を実施する。当選確率を１００％に設定するならば、全ての当該電子クーポンを使用する利用者が「あたり」となることも可能であり、この場合は事実上内容が一律同一の電子クーポンとして使用される。さらに、前記抽選は最大当選者数を設定することも可能である。たとえば当選確率は１０％に設定し、最大当選者数を２００名と設定すると、１０％の割合で「あたり」の当選者を選出しながらも、当選者が発生した数をカウントし、最大当選者数が２００名に達した時点ですべての抽選結果を「はずれ」か、もしくは電子クーポンの当選上限に到達した内容として携帯端末１００へ通知することもできる。
【００２５】  電子クーポンＤＢ２６０のデータ構成例を図４に示す。電子クーポンは、複数の事業者によりそれぞれ異なる内容で配信される事例が想定されるため、電子クーポンの配信内容毎にユニークなコードであるクーポンＩＤを付与して、複数の電子クーポンを同時に管理する。ここでは、Ｃ０００１のコードの電子クーポンを取り扱うものとする。利用者ＤＢ２５０のデータとして、前記クーポンＩＤと、テキスト形式でクーポン名を管理する。
【００２６】  クーポン配信予約時間は日付と時刻情報を含む情報であり、電子クーポン配信部２１０でクーポンの配信を開始する日時を示す情報である。図４においては、２０１３年３月２５日  １４：００  になれば当該クーポンの配信を開始する。抽選開始クーポン開き率は、２層形式の電子クーポンのうち、利用者により消去が可能な１層目の面積の消去率を示すものである。図４においては、利用者が１層目の全面積のうち３０％の面積を消去した時点で、抽選部２２０において抽選が開始される。図４において最大当選者数は２００名、当選確率は１０％にそれぞれ設定されており、配信された当該電子クーポンで、１層目が開かれた全利用者のうち１０％の数で、２００名を超えない数の利用者が当選するような制御を抽選部２２０で実施する。
【００２７】  図４において、クーポン開き後表示内容は、当選者と非当選者に対してそれぞれ表示する電子クーポンのうち２層目に記載する内容を管理するものであり、たとえばそれぞれ「あたり  ２０ポイント」、「はずれ」という内容となっている。
なお、実際に電子クーポンの２層目に表示する内容は、はクーポン開き後内容に関する情報のほかに、利用者毎に異なる内容を組み合わせてもよい。たとえば当選者に対して「あたり  あなたは３０番目の当選者です」といった内容とし、３０番目の当選者であることを動的に算出してフィードバックする機構を有していてもよく、非当選者に対しても同様である。本データベースは、クーポンＩＤ毎に同様の形式で管理される。
【００２８】  図５に配信・使用条件ＤＢ２７０のデータ構成例を示す。本データベースはクーポンＩＤ毎に管理されるものである。例として、クーポンＩＤがＣ０００１である電子クーポンの格納データについて説明する。クーポンＩＤがＣ０００１の例では、電子クーポンの配信のパターンとして互いに排他とならない２つのパターンを有しており、それぞれ異なる配信エリア、使用可能エリア、対象性別および年代の設定を実施している。電子クーポンＣ０００１は、配信エリア、利用可能エリア、配信対象年代、配信対象年代に関する条件を含み、同一クーポンＩＤに対して複数の条件の設定が可能である。まず性別と年代は、それぞれ配信対象となる利用者を限定するためのものであり、それぞれ合致する条件の利用者に対してのみ配信するためのものである。
【００２９】  配信エリアＡ００１と使用可能エリアＡ００２は、地図上の位置を一意に特定可能な情報と、それを起点とした半径の距離に関する情報をそれぞれ含むものである。このうち配信エリアは、電子クーポンを配信する対象のエリアを指定するものである。使用可能エリアは、電子クーポンの２層構造のうち、１層目の表示を順次消去して、２層目に表示される抽選結果に関する情報を表示することが可能な対象のエリアを指定するものである。なお、利用者の属性情報である性別と年代は例として示したにすぎず、実際の実施形態においてはそれに加え利用者の住所情報、嗜好品、過去の電子クーポンの使用状況、過去に訪問した店舗、閲覧したＷｅｂサイト等の履歴、使用している携帯端末向けアプリケーションの利用動向に関する情報等から生成される利用者の属性情報を含んだものでもよい。
【００３０】  実際には、それぞれの対象エリアを決定する際のインターフェースとして図６に示すような地図とエリアの中心点および半径を画像上で指定することにより配信エリアと使用可能エリアをそれぞれ設定してもよい。図６はクーポンＩＤがＣ０００１の電子クーポンの配信対象エリアＡ００１の設定と、使用可能エリアＡ００２の設定例について図示したものである。
【００３１】  次に利用者ＤＢ２５０のデータ構成について図７とともに説明する。ユーザＩＤは、利用者を一意に特定するための情報である。ユーザＩＤはたとえば携帯端末１００が有する端末毎に異なる端末特定のための携帯回線の電話番号や契約者番号、携帯端末１００に挿入されているＳＩＭカードに関するコード、もしくは携帯端末自体の製造番号などから特定され一意に生成されるものである。本データベースでは、ユーザＩＤをベースとして利用者もしくは携帯端末１００毎に利用者属性と受信済みの電子クーポンおよび当該電子クーポンの受信日時、使用日時と抽選結果を管理する。携帯端末１００に電子クーポンを配信される都度、もしくは携帯端末１００で電子クーポンを受信、使用される都度、利用者ＤＢ２５０が更新される。例として、ユーザＩＤがＵＩＤ９０００１のユーザの格納データについて説明する。当該ユーザは２０代の女性であり、３種類の電子クーポンを保有している（Ｃ０００１、Ｃ０００４およびＣ００１９）。このうち、Ｃ０００１の電子クーポンは２０１３年３月２５日  １４：０１に受信されている。当該クーポンは２０１３年５月３日１８：００に１層目が消去され抽選が実施されていて使用済みとなっている。抽選の結果は「あたり」（当選）として記録されている。以下、Ｃ０００４およびＣ００１９についても同様の形態で電子クーポンの受信および使用に関する情報が記録されており、同じ形態で全利用者分の情報が管理される。
【００３２】  携帯端末１００における電子クーポンの受信、表示形式や電子クーポンの使用方法について図８から図１３にかけて説明する。
【００３３】  受信した電子クーポンの表示手法を図８に示す。受信済みの電子クーポンは、携帯端末１００の表示部１６０に対して、受信済クーポンリストＬ００１として図示されているとおり一覧の形式で表示される。図８の例では３つの電子クーポンが表示されているが、スクロールやページの更新の形式でさらに複数の電子クーポンを表示することも可能である。受信済クーポンリストＬ００１の各クーポン情報は、利用者が操作可能なボタン形式となっており、利用者が選択してクリックを行ったり、指でタップを行うことにより当該の電子クーポンを表示する画面（図１１）へと遷移する。
【００３４】  Ｂｔ１、Ｂｔ２、Ｂｔ３、およびＢｔ４はそれぞれ利用者が操作可能なボタン形式となっており、利用者が選択してクリックを行ったり、指でタップを行うことにより異なる画面を表示するためのものである。このうち、Ｂｔ１を操作すると、受信済クーポンリストＬ００１の表示は受信した日時順に並び替えが行われる。同様に、Ｂｔ２を操作すると電子クーポンの使用期限が近い順に受信済クーポンリストＬ００１が並び替えられる。Ｂｔ３を操作すると携帯端末１００の現在位置とそれぞれの受信済みの電子クーポンが使用可能な使用可能エリアＡ００２とを比較し、現在位置とそれぞれの使用可能エリアＡ００２との距離が近い順に受信済クーポンリストＬ００１が並び替えられる。
【００３５】  Ｂｔ４を操作すると、現在位置と、それぞれの受信済みの電子クーポンが使用可能な使用可能エリアＡ００２を地図上のデータに変換して、地図形式で表示することもできる。その例を図１０に示す。ここで使用可能エリアＡ００２は、電子クーポンが有する使用可能エリアに関する情報（緯度、経度、半径）より地図上に動的にマッピングされて表現されてもよいし、あらかじめ用意された静的画像（たとえばＪＰＥＧ形式やＧＩＦ形式）を表示するものでもよい。なお、すべての受信済み電子クーポンを同一画面上で表示しなくてもよく、受信した一部もしくは単一の電子クーポンについて同様の手法で表示してもよい、
【００３６】  電子クーポンの構造について図１０をもとに説明する。電子クーポンは、利用者が操作することにより順次消去が可能な１層目Ｌｙ１と、Ｌｙ１が消去された部位に対応して表示が開始される２層目Ｌｙ２とで構成されており、１層目Ｌｙ１と２層目Ｌｙ２はそれぞれ異なる表示内容となっている。Ｌｙ２は電子クーポン配信装置２００において実施される抽選の結果を表示する抽選結果表示領域Ｒ１（図１０中  斜線の領域）を有している。抽選結果表示領域Ｒ１は２層目Ｌｙ２の一部または全ての面積を占めるものであり、電子クーポン配信装置２００からの情報を受信することによりテキスト情報、画像情報または動画像情報か、これらを組み合わせた形式のものが表示される。本実施例ではテキスト形式で表示される例を示す。
【００３７】  抽選結果表示領域Ｒ１において、抽選結果が「あたり」（当選）であった場合には、当選した使用者に対してユニークに割り当てられる当選コードを同時に表示することもできる。以降、本実施例においては「コード：００３」として表示する。これは、当選した電子クーポンの不正利用を防止する目的で付与するものである。本実施例では例として３桁の表示としているが、桁数はさらに多くてもよいし、文字と数字を組み合わせたものであってもよい。  また、同じ情報は、利用者ＤＢ２５０にも記録されて管理される。
【００３８】  電子クーポンの１層目は使用者が携帯端末１００を操作することにより消去することが可能である。クーポン開き率は、利用者によって全１層目面積のうち消去された面積の割合を示すものである。図１２に、クーポン開き率が０％すなわち全く消去されていない状態の表示例を示す。この場合、１層目Ｌｙ１が完全に表示された状態であり、これはすべての電子クーポンにとっての携帯端末１００に表示する際の初期状態となるものである。
【００３９】  次に、利用者が電子クーポンの１層目Ｌｙ１を消去していった場合の動作について図１３ともとに説明する。例としてここでは、対象の電子クーポンをＣｐ００１とし、利用者がＣｐ００１の１層目Ｌｙ１を消去する手法としては、画面の一部をタップすることで該当する対象領域を消去し２層目Ｌｙ２を露出させていく、いわゆるスクラッチの手法（ｂ−１）と、利用者が１層目Ｌｙ１の一部をめくりあげるような形で消去し、２層目Ｌｙ２を露出させる手法（ｂ−２）を示している。また、いずれの例もクーポン開き率は３０％となる時点での例示としている。
【００４０】  図１３において、２層目Ｌｙ２に表示される、抽選結果表示領域Ｒ１に対応する領域には例として当選結果を表示しているが、実際には電子クーポン配信装置２００において抽選が実施された後にのみ表示されるものである。抽選を実現するため、携帯端末１００は、利用者により１層目Ｌｙ１が消去されている間、消去された１層目Ｌｙ１の割合を動的に算出し、その結果を一定時間毎もしくは常時に電子クーポン配信装置へ通知する。なお、１層目Ｌｙ１を消去し２層目Ｌｙ２を露出させる手法としては前記手法に限定されず、たとえば利用者が操作せずに時間に応じて自動的にランダムに１層目Ｌｙ１が消去される手法であってもよいし、折り畳まれた紙を想起させる形態の１層目Ｌｙ１を、開いていった際に２層目Ｌｙ２を表示させるという手法などであってもよい。
【００４１】  電子クーポンの１層目Ｌｙ１が完全に消去され、２層目Ｌｙ２が完全に露出した際の図を図１３に例示する。図１３においては、抽選結果表示領域Ｒ１に対応する領域には例として当選結果を表示しているが、実際には電子クーポン配信装置２００において抽選が実施された後にのみ表示されるものである。
【００４２】  図１４は、本実施形態において電子クーポン配信装置２００および携帯端末１００が実行する電子クーポンの配信および受信処理を示すフローチャートである。電子クーポン配信装置２０は、クーポンＩＤ毎に設定された電子クーポンの配信予約時間と現在時刻を、電子クーポンＩＤ毎に比較することで、配信時刻に到達したことを検知すると（ステップＳ１１）、該当するクーポンＩＤの電子クーポンに関する配信エリアＡ００１、使用可能エリアＡ００２、配信対象となる性別および年代を含む当該電子クーポンの配信条件を抽出する（ステップＳ１２）。
【００４３】  次に、携帯端末１００が当該電子クーポンの配信エリアＡ００１にあるかどうかを判定するため、携帯端末１００に対して現在位置取得のリクエストをし、携帯端末１００では現在位置の取得を行った後、現在位置に関する情報を電子クーポン配信装置２００へと通知する（ステップ１４）。ステップＳ１２により抽出された電子クーポンの配信エリアＡ００１と、携帯端末１００より取得した現在位置とを比較し、携帯端末１００が配信対象エリア内であれば配信対象の携帯端末として判定し（ステップＳ１５）、次のステップへ進む。ここで、配信対象でない、すなわち携帯端末１００が配信対象エリア外に位置していた場合は、配信処理をステップＳ１５で中止する。
【００４３】  したがって、ステップＳ１６は前記ステップＳ１５により配信対象エリア内に存在する携帯端末１００にのみ実施されるもので、電子クーポン配信装置２００から、携帯端末１００へと電子クーポンの配信を実施するものである。携帯端末１００では電子クーポンを受信した後、その情報を記録する（ステップＳ１７）。一方電子クーポン配信装置２００は配信結果を記録する（ステップＳ１８）。
【００４５】  図１５は、本実施形態において電子クーポン配信装置２００および携帯端末１００が実行する電子クーポンの使用および抽選に関する処理を示すフローチャートである。利用者の操作により携帯端末１００において受信済みクーポンリストＬ００１の表示を開始すると（ステップＳ２１）、携帯端末１００の現在位置を取得して電子クーポン配信装置２００へ通知する（ステップＳ２２）。電子クーポン配信装置２００では、当該の電子クーポンの使用可能エリアＡ００２と、携帯端末１００の現在位置を比較し、携帯端末１００が電子クーポンの使用可能なエリアに存在してるかどうかを判定する（ステップＳ２３）。携帯端末１００が当該配信対象エリア内に存在する場合に限り、利用者が携帯端末１００において電子クーポンの１層目を消去し、抽選結果を２層目に表示する次のステップへと進むことができる。
【００４６】  次に、利用者が電子クーポンの１層目を消去し、２層目に抽選結果を表示させる処理について説明する。ステップＳ２４では、電子クーポンの１層目のうち、利用者に消去された面積の割合を算出し、電子クーポンの開き率として電子クーポン配信装置２００へと通知する。この通知は、設定された一定時間毎に実施されてもよく、使用者が電子クーポンの１層目Ｌｙ１の一部の面積を消去する都度実施されてもよい。携帯端末１００は、電子クーポンの１層目Ｌｙ１の全面積が消去されるか、利用者が操作を中断するまでこの通知を繰り返す。
【００４７】  ステップ２４により携帯端末１００から電子クーポンの開き率を受信した電子クーポン配信装置２００は、携帯端末１００の現在位置がクーポンの使用可能なエリアを示す使用可能エリアＡ００２のエリア内にあるか否かを判定。携帯端末１００が使用可能エリアＡ００２のエリア内にあるという判定結果となった場合に限り、次の抽選の実施のステップ（ステップＳ２６）へと進む。
【００４８】  なお、ステップＳ２５を電子クーポン配信装置２００で実施する代わりに、クーポンの開き率に関する情報を有する電子クーポンを受信した携帯端末１００においてクーポンの開き率を計算し、指定された開き率に達した時点で携帯端末１００から電子クーポン配信装置２００へ抽選開始の通知を実施し、それにより次の抽選の実施のステップ（ステップＳ２６）へと進んでもよい。
【００４９】  ステップＳ２６では、電子クーポンの２層目Ｌｙ２に対して表示を行う当選結果の判定を実施する。クーポンＩＤ毎に設定された最大当選者数、当選確率、すでに抽選を実施した数、および当選した数に基づき、当選か非当選かの判定（抽選）を実施する。
【００５０】  ステップ２６では、当選結果を携帯端末１００へと通知し、それにより携帯端末１００の電子クーポンの２層目Ｌｙ２に対して当選結果を表示し利用者へ提示することにより、利用者は当選結果を知ることが可能である。
【００５１】  利用者が電子クーポンを受け取ったタイミングではなく、利用者が電子クーポンを使用するタイミングで抽選を実施することにより、実際に電子クーポンを使用する対象利用者間で抽選を行うことができる点が特徴となる。
【００５２】  電子クーポン配信装置２００は、抽選を実施した結果を記録する。
【符号の説明】
【００５３】１００…携帯端末、２００…電子クーポン配信装置、３００…ＰＣ、ＮＷ１…無線通信網、ンｗ２…インターネット網、１１０…制御部、１２０…記憶部、１３０…通信部、１４０…測位部、１５０…表示部、１６０…操作部、２１０…電子クーポン配信部、２２０…抽選部、２３０…通信部、２４０…電子クーポン管理部、２５０…利用者ＤＢ、２６０…電子クーポンＤＢ、２７０…配信・使用条件ＤＢ、Ａ００１…配信エリア、Ａ００２…使用可能エリア、Ｌ００１…受信済クーポンリスト、Ｂｔ１…新着順ボタン、Ｂｔ２…期限順ボタン、Ｂｔ３…近い順ボタン、Ｂｔ４…地図表示ボタン、Ｌｙ１…電子クーポン１層目、Ｌｙ２…電子クーポン２層目、Ｒ１…抽選結果表示領域
【図１】
2014238800.tif 000003
【図２】
2014238800.tif 000004
【図３】
2014238800.tif 000005
【図４】
2014238800.tif 000006
【図５】
2014238800.tif 000007
【図６】
2014238800.tif 000008
【図７】
2014238800.tif 000009
【図８】
2014238800.tif 000010
【図９】
2014238800.tif 000011
【図１０】
2014238800.tif 000012
【図１１】
2014238800.tif 000013
【図１２】
2014238800.tif 000014
【図１３】
2014238800.tif 000015
【図１４】
2014238800.tif 000016
【図１５】
2014238800.tif 000017